(57)【要約】【課題】画像形成装置などの扉の開閉に伴って電源を切り替える際に、開いていた扉を閉じることによって装置を迅速に稼働状態にすることを可能にする。【解決手段】ＡＣ入力とＤＣ出力がされる第１直流電源（ＤＣ電源１）と、ＡＣ入力と常時のＤＣ出力がされる第２直流電源（ＤＣ電源２）と、非常時電源要遮断部の要遮断動作に伴って前記第１直流電源へのＡＣ入力を遮断するインターロック部（リレー３、インターロックスイッチ４）と、負荷に対する電圧供給として前記第１直流電源のＤＣ出力と第２直流電源のＤＣ出力とを切り替える切替部（切替スイッチ１１）と、前記切替部の切り替え制御する制御部１０とを有する。電源遮断後、通電を再開する際に、装置を短時間で稼働状態にして、プリント可能などとする。【選択図】図１
2010262030.tif 000002
【特許請求の範囲】
【請求項１】
ＡＣ入力とＤＣ出力がなされる第１直流電源と、ＡＣ入力と常時のＤＣ出力がなされる第２直流電源と、非常時電源要遮断部の要遮断動作に伴って前記第１直流電源へのＡＣ入力を遮断するインターロック部と、負荷に対する電圧供給として前記第１直流電源のＤＣ出力と第２直流電源のＤＣ出力とを切り替える切替部と、前記非常時電源要遮断部の動作に伴って前記切替部における前記第１直流電源のＤＣ出力と第２直流電源のＤＣ出力とを切り替え制御する制御部とを有することを特徴とする画像形成処理装置。
【請求項２】
前記制御部は、前記非常時電源要遮断部の遮断不要動作開始時に、負荷に対する電圧供給を前記切替部によって前記第２直流電源のＤＣ出力に切り替え、その後、所定時間経過後に、負荷に対する電圧供給を前記切替部によって前記第１直流電源のＤＣ出力に切り替え制御することを特徴とする請求項１記載の画像形成処理装置。
【請求項３】
前記制御部は、前記非常時電源要遮断部の要遮断動作時に、前記切替部において前記第１直流電源のＤＣ出力側と負荷側とが接続された状態に維持することを特徴とする請求項１または２に記載の画像形成処理装置。
【請求項４】
前記インターロック部は、前記非常時電源要遮断部の動作に連動して動作するスイッチと、要遮断時の該スイッチの動作によって、前記第１直流電源へのＡＣ入力を遮断する入力遮断スイッチとを備えることを特徴とする請求項１〜３のいずれかに記載の画像形成処理装置。
【請求項５】
前記非常時電源要遮断部の動作を検知する検知部を備え、前記制御部は、前記検知部の検知結果に基づいて前記切替部の切替を制御することを特徴とする請求項１〜４のいずれかに記載の画像形成処理装置。
【請求項６】
前記非常時電源要遮断部が、画像処理装置本体に備える開閉扉であり、該扉の開によって前記非常時電源要遮断部が要遮断動作をし、該扉の閉によって前記非常時電源要遮断部が遮断不要動作となることを特徴とする請求項１〜５のいずれかに記載の画像形成処理装置。
【請求項７】
画像データに基づいて転写紙に画像形成を行う画像形成装置または画像形成が行われた転写紙に後処理を行う後処理装置もしくは画像形成装置および後処理装置を備える画像形成システムであることを特徴とする請求項１〜６のいずれかに記載の画像形成処理装置。
【請求項８】
負荷の一部が前記切替部に接続されて該切替部によって該負荷への電圧供給として前記第１直流電源のＤＣ出力と第２直流電源のＤＣ出力とが切り替え可能になっており、その他の負荷が前記第２直流電源のＤＣ出力側に常時接続されていることを特徴とする請求項１〜７のいずれかに記載の画像形成処理装置。
【発明の詳細な説明】
【技術分野】
【０００１】
この発明は、画像形成装置、後処理装置、画像形成システムなどの画像形成処理装置に関するものである。
【背景技術】
【０００２】
画像形成装置などの画像形成処理装置では、保守点検や消耗品の取り替えなどの作業を行うために開閉扉を設け、常時にはこの開閉扉を閉じ、上記作業時などの必要時にのみ開閉扉を開けて作業を行うことが可能になっている。このような装置の本体内には、高電圧で稼働する帯電器や加熱状態にある定着器などがあり、開閉扉が開いた状態で、これらが稼働したままの状態にあるのは作業上望ましくない。このため、通常は、開閉扉が開くと、開閉扉の開閉動作に連動して動作するインターロック部によって画像形成処理装置の負荷部への電力供給を遮断している（例えば特許文献１参照）。そして、開閉扉が閉じられると、負荷部への電力供給が開始され、稼働が可能になるように構成されている。
【先行技術文献】
【特許文献】
【０００３】
【特許文献１】特開２００７−１４７６７７号公報
【発明の概要】
【発明が解決しようとする課題】
【０００４】
従来、扉の開などにより負荷への電源供給を遮断するには、直流電源の入力又は出力をスイッチ、リレー等の遮断手段で遮断している。しかしながら、直流電源の入力を遮断する場合、扉を閉めてから直流電源が立ち上り、安定した出力となるまでに数百ｍｓ〜数秒かかるため、すぐにプリントなどの処理を行うことができない。また、上記特許文献１のように電源の出力側での電力供給のオンオフを可能にしても、電力が供給されて各部が動作可能な状態になるまでに時間を要し、装置が処理可能な状態になるまでの時間を要するという問題がある。
【０００５】
本発明は、上記事情を背景としてなされたものであり、扉の開などによって電源が遮断された場合にも、扉が閉じられるなどすることで、装置が短時間で稼働状態になって処理可能となる画像形成処理装置を提供することを目的とする。
【課題を解決するための手段】
【０００６】
すなわち、本発明の画像形成処理装置のうち、第１の本発明は、ＡＣ入力とＤＣ出力がなされる第１直流電源と、ＡＣ入力と常時のＤＣ出力がなされる第２直流電源と、非常時電源要遮断部の要遮断動作に伴って前記第１直流電源へのＡＣ入力を遮断するインターロック部と、負荷に対する電圧供給として前記第１直流電源のＤＣ出力と第２直流電源のＤＣ出力とを切り替える切替部と、前記非常時電源要遮断部の動作に伴って前記切替部における前記第１直流電源のＤＣ出力と第２直流電源のＤＣ出力とを切り替え制御する制御部とを有することを特徴とする。
【０００７】
本発明によれば、扉の開などによって負荷への電源が遮断され、扉が閉などされると、切替部の動作によって負荷に対する電圧供給を前記第１直流電源のＤＣ出力と第２直流電源のＤＣ出力とで切り替えることができる。これにより、ＡＣ入力遮断が解除されて前記第１直流電源からのＤＣ出力が立ち上がって安定した状態に復帰するまでは、常時出力されている第２直流電源のＤＣ出力を利用して迅速に負荷を稼働させることが可能になる。その後は、負荷への電圧供給を出力が安定した前記第１直流電源のＤＣ出力に切り換えることで、再度、扉の開などによって負荷への電圧供給を遮断する必要がある場合に、迅速に該遮断を実行することができる。
【０００８】
前記インターロック部は、本発明としては特定の構成に限定されるものではなく、非常時電源要遮断部の動作によって前記第１直流電源のＡＣ入力を遮断できるものであればよい。例えば、前記非常時電源要遮断部の動作に連動して動作するスイッチと、要遮断時の該スイッチの動作によって、前記第１直流電源へのＡＣ入力を遮断する入力遮断スイッチとを備えるものが挙げられる。
【０００９】
非常時電源要遮断部は、装置本体の開閉扉などが相当し、その動作によって、電源の遮断を要するものであり、本発明としては特定のものに限定されない。なお、動作は、操作者による操作によるものであっても、装置の稼働に伴うものであってもよい。
非常時電源要遮断部は、適宜の検知部によってその動作を検知可能にすることで、制御部では、非常時電源要遮断部の動作状態を確実に認識することができる。上記検知部は、非常時電源要遮断部の動作に伴う変化を機械的に検知するものや、光や磁気などの物理的な変化を検知するものを用いることができるが、本発明としては特定のものに限定されるものではない。
【００１０】
また、第１直流電源のＤＣ出力と第２直流電源のＤＣ出力とを切り替える切替部は、リレー、スイッチ、これらの組み合わせにより構成することができる。本発明としては、この機能が達成されるものであればよく、特定の構成に限定されるものではない。
【００１１】
本願発明の画像形成処理装置としては、画像データに基づいて転写紙に画像形成を行う画像形成装置、画像形成が行われた転写紙に後処理を行う後処理装置、これらの画像形成装置および後処理装置を備える画像形成システムを挙げることができる。これらの装置やシステムでは、通電開始より稼働可能な状態になるまでに、時間を要する部品なども含まれており、本願発明によって装置の立ち上がりを早くすることで画像形成処理、後処理などを効率よく行うことができる。
【００１２】
また、本願発明では、特に常時通電が望ましい負荷と、一時的な電源遮断の受け入れが可能なものや非常時電源要遮断部の動作によって通電の遮断を行うのが望ましい負荷とに区分し、常時通電が望ましい負荷を第２直流電源の出力側に常時接続しておくことで、装置の立ち上がりをより一層早くすることができる。また、直流電源の出力を遮断する場合、遮断を解除して通電を再開する際に負荷に供給する電流が急に増大するため、遮断、通電再開に使用できるスイッチ、リレーなどの手段が制限されるが、通電再開に関わる負荷量を低減できるため、切替部の制限が小さくなる利点もある。
【発明の効果】
【００１３】
以上説明したように、本発明の画像形成処理装置によれば、ＡＣ入力とＤＣ出力がなされる第１直流電源と、ＡＣ入力と常時のＤＣ出力がなされる第２直流電源と、非常時電源要遮断部の要遮断動作に伴って前記第１直流電源へのＡＣ入力を遮断するインターロック部と、負荷に対する電圧供給として前記第１直流電源のＤＣ出力と第２直流電源のＤＣ出力とを切り替える切替部と、前記非常時電源要遮断部の動作に伴って前記切替部における前記第１直流電源のＤＣ出力と第２直流電源のＤＣ出力とを切り替え制御する制御部とを有するので、ＡＣ入力の遮断が可能な第１直流電源と常時のＤＣ出力がなされる第２直流電源とを切り換えてＤＣ出力を負荷に供給することができ、電源遮断後、通電を再開する際に、装置を短時間で稼働状態にすることができる。例えば、非常時電源要遮断部である扉を閉じたらすぐに電源供給でき、プリント可能にする。
【図面の簡単な説明】
【００１４】
【図１】本発明の一実施形態の機能ブロック図である。
【図２】同じく、扉の開閉に伴う電源切替の手順を示すフローチャートである。
【図３】本発明の他の実施形態の機能ブロック図である。
【発明を実施するための形態】
【００１５】
（実施形態１）
以下に、本発明の一実施形態を添付図面に基づいて説明する。
図１は、本発明の画像形成処理装置の機能ブロックを示す図である。
本装置では、商用電源からＡＣ入力がＤＣ電源１およびＤＣ電源２に与えられている。ＤＣ電源１は、本発明の第１直流電源に相当し、ＤＣ電源２は、本発明の第２直流電源に相当する。
【００１６】
なお、ＤＣ電源１では、ＡＣ入力側にリレー３の固定接点側が介設されており、リレー３の動作によってＤＣ電源１のＡＣ入力側が遮断、通電の動作をする。リレー３は、本発明の入力遮断スイッチに相当する。ＤＣ電源２では、直接ＡＣ入力がなされている。リレー３の通電側には、インターロックスイッチ４の固定接点側が接続されており、該インターロックスイッチ４の他の固定接点側に、前記ＤＣ電源２のＤＣ出力側が接続されている。
【００１７】
インターロックスイッチ４の可動接点側は、画像形成処理装置に備えられる扉（図示しない）の開閉によって機械的に動作し、扉が開になると固定接点から離れて固定接点間を開にし、扉が閉になると固定接点に接して固定接点間を閉にする。扉は、本発明の非常時電源要遮断部に相当し、したがって、インターロックスイッチ４は、非常時電源要遮断部の動作に連動して動作するスイッチに相当する。上記インターロックスイッチ４とリレー３とによって本発明のインターロック部が構成されている。
【００１８】
扉の近傍には、扉の開閉を検知する扉開閉検知部５を有しており、該扉開閉検知部５の検知結果が、制御部１０に送信されるように構成されている。制御部１０は、ＣＰＵとこれを動作させるプログラム、各種データを格納したり、ワークエリアとして機能する記憶部などを主に構成されており、画像形成処理装置全体を制御するものであってもよい。
【００１９】
該制御部１０には、切替スイッチ１１が切り替え制御可能に接続されている。切替スイッチ１１は、本発明の切替部に相当し、１回路２接点で構成され、切替可能な接点側に、それぞれ前記ＤＣ電源１のＤＣ出力側とＤＣ電源２のＤＣ出力側が接続されている。切替スイッチ１１の可動接点側には画像形成処理装置の負荷１２が接続されている。ここでは負荷１２は、複数の負荷を総称して示している。
【００２０】
次に、上記画像形成処理装置の動作について説明する。
扉が閉じられている通常時には、インターロックスイッチ４はオンになっており、ＤＣ電源２のＤＣ出力がリレー３の通電側に供給され、リレー３の固定接点側が閉じられてＤＣ電源１に商用電源からＡＣ電圧が入力される。一方、扉開閉検知部５では、扉の閉が検知され、検知結果が制御部１０に送信されている。制御部１０では、扉の閉の検知結果に基づいて切替スイッチ１１を切替制御し、負荷１２に対しＤＣ電源１側からＤＣ出力が与えられている。
【００２１】
一方、扉が開かれると、インターロックスイッチ４がオフの状態になり、リレー３への通電が遮断され、リレー３の固定接点間が開になる。これにより、ＤＣ電源１に対するＡＣ入力が遮断される。また、扉の開は扉開閉検知部５でも検知され、検知結果が制御部１０に送信される。制御部１０では、検知結果を受けて、切替スイッチ１１を切替制御し、負荷１２とＤＣ電源１側とを接続した状態に維持する。これにより負荷１２に対しては、扉の開によってＡＣ入力が遮断されたＤＣ電源１が接続されており、ＤＣ出力は供給されていない状態になる。
【００２２】
また、扉が開の状態から閉に変わると、インターロックスイッチ４がオンの状態になり、リレー３へ通電が再開され、リレー３の固定接点間が閉になる。これにより、ＤＣ電源１に対しＡＣ入力が与えられる。また、扉の閉は扉開閉検知部５でも検知され、検知結果が制御部１０に送信される。制御部１０では、閉の検知結果を受けて扉が開から閉になったことを認識し、切替スイッチ１１を切替制御し、負荷１２とＤＣ電源２とを接続し、常時ＤＣ出力がされているＤＣ電源２より負荷へのＤＣ出力を直ちに供給することを可能にする。これにより負荷１２に対し、扉の閉時に直ちにＤＣ出力を供給して迅速な立ち上がりを可能にする。この状態が所定時間経過すると、ＤＣ電源１の立ち上がりが完了し、ＤＣ電源１から安定してＤＣ出力を与えることが可能になるので、制御部１０では切替スイッチ１１を切替制御し、負荷１２に対し、ＤＣ電源１よりＤＣ出力を供給する。上記所定時間は、ＤＣ電源１への通電再開によって、負荷にＤＣ出力を安定して供給可能になる時間を考慮して定めることができる。該所定時間は、ＤＣ電源１の種別などによっても異なるが、例えば、数秒程度に設定することができる。
【００２３】
以下に、扉の開閉に伴う制御部１０による電源供給の切替制御手順を図２のフローチャートに基づいて説明する。
先ず、扉開閉検知部で現在の扉の状態を検知し、検知結果を制御部１０で受ける（ステップｓ１）。検知結果が開である場合（ステップｓ２、開）、制御部１０の記憶部に前の状態を開と記憶する（ステップｓ３）。この際に、インターロックスイッチ４がオフになっており、リレー３の固定接点側は開になり、ＤＣ電源１へのＡＣ入力は遮断されている。切替スイッチ１１は、負荷１２にＤＣ電源１のＤＣ出力側が接続された状態にある。このため、負荷１２にはＤＣ出力は供給されていない。開の記憶後、さらに扉開閉検知部５による扉開閉検知が継続される（ステップｓ１へ）。
【００２４】
一方、扉開閉検知部５による検知結果が閉である場合（ステップｓ２、閉）、前の扉の状態が開か閉かの判定がなされる（ステップｓ４）。前の扉状態が閉の場合（ステップｓ４、閉）、扉の閉状態が維持されているため、前の扉状態が閉であることを記憶部に記憶し（ステップｓ７）、扉開閉検知を継続する（ステップｓ１へ）。この際には、インターロックスイッチ４は閉の状態にあり、リレー３の固定接点側は閉になり、ＤＣ電源１へのＡＣ入力が維持される。また、制御部１０では、扉開閉検知部５の検知結果を受けて、切替スイッチ１１では、負荷１２とＤＣ電源１とが接続された状態を維持する。
【００２５】
また、扉開閉検知部５による検知結果が閉で、前の扉の状態が開の場合（ステップｓ４、開）、扉が開の状態から閉じられたことを示している。この判定結果によって制御部１０では、切替スイッチ１１を切替制御し、負荷１２とＤＣ電源２のＤＣ出力側とを接続する（ステップｓ５）。これにより常時ＤＣ出力をしているＤＣ電源２から負荷１２に対し、直ちにＤＣ電源２のＤＣ出力が与えられ、迅速に装置が稼働状態になる。
【００２６】
制御部１０では、上記切替後、タイマによって経過時間を計測するとともに、予め設定して記憶部に格納されている所定時間のデータを読み出し、経過時間が所定の時間に達すると、切替スイッチ１１を切替制御し、負荷１２に対し、ＤＣ電源１よりＤＣ出力を供給する（ステップｓ６）。この際には、ＤＣ電源１のＤＣ出力も安定しており、負荷１２に対しＤＣ出力を継続して供給することができる。この後、前の状態を閉として記憶部に記憶し（ステップｓ７）、扉の開閉検知を継続する（ステップｓ１へ）。
【００２７】
上記制御手順により扉が開かれた場合には、直ちに負荷１２へのＤＣ出力の供給が遮断され、一方、開いていた扉が閉じられると、その直後に負荷１２にＤＣ電源２からＤＣ出力が供給され、装置を迅速に立ち上げることができる。その後、負荷１２にＤＣ電源１からＤＣ出力が供給されるように切り替えられ、再度の扉が開かれても、即座にＤＣ出力の供給を遮断することができる。
【００２８】
（実施形態２）
次に、他の実施形態を図３の機能ブロック図により説明する。なお、上記実施形態と同様の構成については同一の符号を付してその説明を省略または簡略にする。
この実施形態では、複数の負荷のうち、扉の開によって電源遮断をした方が良い負荷を負荷１２ａに区分し、電圧供給時に立ち上がりに時間を要し、常時電圧を供給した方が良い負荷を負荷１２ｂに区分している。
負荷１２ａは、上記実施形態１と同様に、切替スイッチ１１の可動接点側に接続する。負荷１２ｂは、ＤＣ電源２のＤＣ出力側に直接接続する。これにより、負荷１２ｂには、扉の開閉に拘わらず常時ＤＣ出力が供給される。
【００２９】
扉が閉じられている通常時には、インターロックスイッチ４はオンになっており、リレー３が閉になりＤＣ電源１に商用電源からＡＣ入力がなされる。扉開閉検知部５では、扉の閉が検知され、検知結果が制御部１０に送信されている。制御部１０では、扉の閉の検知結果に基づいて切替スイッチ１１を切替制御し、負荷１２ａに対し、ＤＣ電源１側からＤＣ出力を与えられている。また、負荷１２ｂに対しては、ＤＣ電源２からＤＣ出力が与えられている。
【００３０】
一方、扉が開かれると、インターロックスイッチ４がオフの状態になり、リレー３が開になり、ＤＣ電源１に対するＡＣ入力が遮断される。また、扉の開は扉開閉検知部５で検知され、検知結果が制御部１０に送信される。制御部１０では、検知結果を受けて、切替スイッチ１１を切替制御し、負荷１２ａとＤＣ電源１側とを接続した状態を維持する。これにより負荷１２ａに対しては、ＤＣ出力は供給されていない状態になる。一方、負荷１２ｂでは、常時ＤＣ出力がなされているＤＣ電源２からＤＣ出力が常に与えられており、扉の開閉に拘わらない。
【００３１】
また、扉が開の状態から閉に変わると、インターロックスイッチ４がオンの状態になり、リレー３が閉になって、ＤＣ電源１に対しＡＣ入力がなされる。また、扉の閉は扉開閉検知部５でも検知され、検知結果が制御部１０に送信される。制御部１０では、閉の検知結果を受けて扉が開から閉になったことを認識し、切替スイッチ１１を切替制御し、負荷１２ａとＤＣ電源２とを接続し、常時ＤＣ出力がされているＤＣ電源２より負荷１２ａへのＤＣ出力を直ちに供給することを可能にする。これにより負荷１２ａに対し、扉の閉時に直ちにＤＣ出力を供給して迅速な稼働を可能にする。また、負荷１２ｂには、ＤＣ電源２から常時ＤＣ出力が与えられている。この状態が所定時間経過すると、ＤＣ電源１の立ち上がりが完了し、ＤＣ電源１からＤＣ出力を与えることが可能になるので、制御部１０では切替スイッチ１１を切替制御し、負荷１２ａに対し、ＤＣ電源１よりＤＣ出力を供給する。上記により、負荷１２ｂには、常時ＤＣ出力が供給されているとともに、電源の切替によって負荷１２ａにもＤＣ出力が直ちに供給されるため、画像形成処理装置は、開いていた扉を閉じることで直ちに稼働を開始することが可能になる。
【００３２】
以上、本発明について上記実施形態に基づいて説明を行ったが、本発明は、上記実施形態の内容に限定をされるものではなく、当然に本発明を逸脱しない限りは適宜の変更が可能である。
【符号の説明】
【００３３】
１    ＤＣ電源
２    ＤＣ電源
３    リレー
４    インターロックスイッチ
５    扉開閉検知部
１０    制御部
１１    切替スイッチ
１２    負荷
１２ａ  負荷
１２ｂ  負荷
【図１】
2010262030.tif 000003
【図２】
2010262030.tif 000004
【図３】
2010262030.tif 000005